(57)【要約】【課題】人にけがをさせたり、通行の妨げとならないように落雪させることができる、積雪地域用落雪型建物システムを提供する。【解決手段】建物１に中庭２が備えられ、中庭２を囲む各方向の屋根３…が中庭２に向けて下方に傾斜し、中庭２に落雪する、又は、落雪させることができるようになされている。中庭２には融雪槽や雪室５が備えられているとよい。雪室５の場合は、雪室５の雪を夏期の冷房に利用する空調システム６が備えられているとよい。【選択図】      図１
2005282256.tif 000002
【特許請求の範囲】
【請求項１】
建物に中庭が備えられ、中庭を囲む各方向の屋根が中庭に向けて下方に傾斜し、中庭に落雪する、又は、落雪させることができるようになされていることを特徴とする積雪地域用落雪型建物システム。
【請求項２】
前記中庭に融雪槽及び／又は雪室が備えられている請求項１に記載の積雪地域用落雪型建物システム。
【請求項３】
前記雪室の雪を、建物内における夏期の冷房に利用する空調システムが備えられている請求項３に記載の積雪地域用落雪型建物システム。
【請求項４】
建物に中庭が備えられ、該中庭に、中庭を囲む各方向の屋根に積もって落雪した雪または落雪させた雪を、処理する融雪槽及び／又は収容する雪室が備えられていることを特徴とする積雪地域用落雪型建物システム。
【発明の詳細な説明】
【技術分野】
【０００１】
本発明は、積雪地域用落雪型建物システムに関する。
【背景技術】
【０００２】
北海道や東北、北陸地方などの積雪する地域では、住宅用等の建物において屋根に積もった雪が落雪して、人にけがをさせたり、通行の妨げとなることから、図３に示すように、建物５１にダクト５５を通し、屋根５３に積もった雪５４の融雪水をダクト５５を通じて処理し、周囲へは落雪させないようにした建物も提供されている。
【発明の開示】
【発明が解決しようとする課題】
【０００３】
しかしながら、落雪させない構造の建物５１では、屋根５３に積もった雪がなかなか融けず、いつまでも屋根５３の上に厚く積もったままで、春を待ってようやく屋根５３から雪が消えるということも多い。
【０００４】
本発明は、上記のような問題点に鑑み、人にけがをさせたり、通行の妨げとならないように落雪させることができる、積雪地域用落雪型建物システムを提供することを課題とする。
【課題を解決するための手段】
【０００５】
上記の課題は、建物に中庭が備えられ、中庭を囲む各方向の屋根が中庭に向けて下方に傾斜し、中庭に落雪する、又は、落雪させることができるようになされていることを特徴とする積雪地域用落雪型建物システムによって解決される。
【０００６】
この建物では、屋根に積もった雪を建物の中庭に落雪させるようになされているので、人にけがをさせるおそれが少なく、また、通行の妨げとなることがない。即ち、中庭は、積雪期において、出入が頻繁に行われるところではなく、むしろ出入がほとんどなされないところであるので、そこに落雪しても、人にけがをさせるおそれはきわめて少ない。また、中庭は、建物で囲まれているので、建物の内部を通じて中庭を挟む向こう側に行くことができ、中庭に落雪しても通行の妨げとなることはない。
【０００７】
そして、屋根に積もった雪を落雪させるものであるため、積雪期においても屋根の上をスッキリさせることができる。また、中庭を囲む各方向の屋根が中庭に向けて下方に傾斜しているので、自ら落雪するか、落雪作業を行う場合でも作業を容易に行うことができる。
【０００８】
上記の建物システムにおいて、中庭に融雪槽及び／又は雪室が備えられているとよい。融雪槽が備えられている場合には、中庭に落雪した雪を中庭で処理することができるし、雪室が備えられている場合は、雪室の雪の各種利用を中庭を囲む建物各部に対して施工容易に行うことができる。
【０００９】
また、融雪槽及び／又は雪室が中庭の地中に埋込み状態に備えられている場合は、一年を通じて、中庭の利用において、融雪槽及び／又は雪室が邪魔になることもない。
【００１０】
更に、雪室が備えられている場合において、雪室の雪を、建物内における夏期の冷房に利用する空調システムが備えられている場合は、雪室が中庭に備えられていることで、建物各部への空調配管の施工を容易に行うことができると共に、配管の短縮を実現することができる。
【００１１】
また、本発明は、建物に中庭が備えられ、該中庭に、中庭を囲む各方向の屋根に積もって落雪した雪または落雪させた雪を、処理する融雪槽及び／又は収容する雪室が備えられていることを特徴とする積雪地域用落雪型建物システムも内容とする。即ち、中庭を囲む各方向の屋根に積もった雪は、屋根が中庭に向けて傾斜しているか否かにかかわらず、中庭に落雪する、あるいは、落雪させることができるようになされていればよい。
【発明の効果】
【００１２】
本発明は、以上のとおりのものであるから、落雪させて屋根をスッキリとさせることができ、しかも、落雪によって、人にけがをさせたり、通行の妨げとなることもない。
【発明を実施するための最良の形態】
【００１３】
次に、本発明の実施最良形態を図面に基づいて説明する。
【００１４】
図１に示す第１実施形態の建物システムにおいて、１は建物、２は中庭であり、中庭２は建物１によって四方から囲まれており、中庭２を囲む各方向の屋根３…は、中庭２に向けて下方に傾斜し、屋根３…に積もった雪４が、中庭２に落雪する、あるいは、落雪させることができるようになされている。
【００１５】
そして、中庭２には、雪室５が地中埋込み状態に備えられ、建物１には、雪室５の雪４を、建物１内における夏期の冷房に利用する空調システム６が備えられている。６ａ…は空調用の配管であり、６ｂ…は室内機である。
【００１６】
上記の建物システムでは、建物１の屋根３に積もった雪４を建物１の中庭２に落雪させるようになされているので、前述したように、人にけがをさせるおそれが少なく、また、通行の妨げとなることもなく、積雪期において屋根３…をスッキリさせることができる。
【００１７】
そして、中庭２に雪室５が備えられ、雪室５の雪４を、建物１内における夏期の冷房に利用する空調システム６が備えられているので、夏期の冷房をコスト的に有利に行うことができるのはもちろん、建物１の各所に対する空調配管６ａ…の施工を容易に行うことができると共に、配管６ａ…の短縮を実現することができる。しかも、雪室５は中庭２の地下に埋込み状態に備えられているので、一年を通じて、中庭の利用において、雪室５が邪魔になることもない。
【００１８】
図２に示す第２実施形態の建物システムは、中庭２の空間を利用して雪室５を設置した場合のもので、雪室５によって中庭２への出入をしずらくなり、けがの危険性をより少なくすることができる。その他は第１実施形態と同様であり、同様の作用効果が奏される。
【００１９】
以上に、本発明の実施形態を示したが、本発明はこれに限られるものではなく、発明思想を逸脱しない範囲で各種の変更が可能である。例えば、上記の実施形態では、中庭２が四方から建物１に囲まれている場合を示しているが、建物の本体部分で囲まれた庭であればよく、囲み形は四方に限らない。また、上記の実施形態では、中庭２に雪室５を設けると共に、建物１に、雪室５の雪を建物１内における夏期の冷房に利用する空調システム６を備えさせた場合を示しているが、雪室５の雪は、夏期等における食品類等の保冷に利用するようにしてもよいし、各種利用がなされてよい。また、雪室５に替えて、あるいは、雪室５と共に、融雪槽を中庭２に備えさせるようにしてもよく、その場合は、中庭２に落雪させた雪を、中庭２において処理することができ、処理作業を容易に行うことができる。
【図面の簡単な説明】
【００２０】
【図１】第１実施形態の建物システムを示すもので、図（イ）は建物の平面図、図（ロ）は断面正面図である。
【図２】第２実施形態の建物システムの断面正面図である。
【図３】従来の建物を示すもので、図（イ）は建物の平面図、図（ロ）は断面正面図である。
【符号の説明】
【００２１】
１…建物
２…中庭
３…屋根
４…雪
５…雪室
６…空調システム
【図１】
2005282256.tif 000003
【図２】
2005282256.tif 000004
【図３】
2005282256.tif 000005